(57)【要約】【課題】並列的な連結だけでなく、上下左右方向にも連結可能なキャップ式筆記具を提供する。さらに、両端に筆記部があるように接続する接続部材を提供する。【解決手段】キャップ式筆記具１は、凸状部２１ａ，２２ａと凹状部２３ａ，２４ａが設けられている。凸状部と凹状部は凹凸状に嵌合する。当該嵌合は、着脱自在な程度の嵌合力に設定される。すなわち、凸状部と凹状部により、複数のキャップ式筆記具１が並列方向だけでなく、上下方向にも連結することができる。さらに、尾栓５に設けられた凸状部５ａと、キャップ２の前端面に設けられた凹状部２６ａも同様に着脱自在に嵌合可能に設定される。よって、キャップ式筆記具１を直列的に接続することができる。さらに、尾栓５の凸状部５ａ同士を接続する接続部材により、両端に筆記部があるように、当該キャップ式筆記具１を接続することもできる。【選択図】  図１
2010247464.tif 000002
【特許請求の範囲】
【請求項１】
四角柱状に形成された軸筒と、
四角柱状に形成され、該四角柱の外周４箇所の面は、前記軸筒との接続時に、前記軸筒の対応する外周面と連続平坦面となるよう形成されたキャップとを備え、
前記キャップの前記外周面のうち、隣り合う２箇所の面にはそれぞれ第１係合部が設けられ、
前記キャップの前記外周面の他方の隣り合う２箇所の面には、前記第１係合部と着脱自在に形成される第１被係合部がそれぞれ設けられることを特徴とするキャップ式筆記具。
【請求項２】
請求項１記載のキャップ式筆記具は、さらに、
前記軸筒の後端に設けられる第２係合部と、
前記キャップの前端面に設けられ、前記第２係合部と着脱自在に形成される第２被係合部と、が設けられることを特徴とするキャップ式筆記具。
【請求項３】
前記第１係合部は、凸状に形成されるとともに、前記第１被係合部は、凹状に形成されることを特徴とする請求項１又は２記載のキャップ式筆記具。
【請求項４】
前記第２係合部は、凸状に形成されるとともに、前記第２被係合部は、凹状に形成されることを特徴とする請求項２記載のキャップ式筆記具。
【請求項５】
四角柱状に形成され、
対向する２箇所のそれぞれの面には、前記第２係合部と着脱自在に形成される接続被係合部が設けられるとともに、
前記接続被係合部が設けられた面以外の該四角柱の外周４箇所の面は、前記軸筒との接続時に、対応する前記軸筒の前記外周面と連続平坦面となるよう形成されることを特徴とする、請求項２記載のキャップ式筆記具を接続するキャップ式筆記具の接続部材。
【発明の詳細な説明】
【技術分野】
【０００１】
本発明は、同種又は他種の筆記具を、直列又は並列等連結することができる筆記具に関する。
【背景技術】
【０００２】
従来から、同種又は他種の多数の筆記具同士を連結し、保管したり携帯したりするに際して、多数のうち一部の筆記具が紛失等してしまうことを防止する効果のある筆記具の連結構造が提案されている。
【０００３】
例えば、特許文献１で開示されている筆記具は、筆記具に装着されるキャップの外周に設けられるクリップを係合突部とし、この係合突部であるクリップと嵌合又は係合可能なように形成された係合凹部が、当該キャップの外周に設けられている。すなわち、当該キャップは、係合突部（クリップ）と、係合凹部を併せ持つ構造とされる。よって、当該キャップの係合突部（クリップ）は、同構造の他のキャップの係合凹部と係合することができる。このキャップは、ボールペンやシャープペンシル等の筆記具のキャップ（蓋体）であるから、結果として、同種又は他種の多数の筆記具を連結することができるものとなる。
【先行技術文献】
【特許文献】
【０００４】
【特許文献１】特開２００６−３０５８２９
【発明の概要】
【発明が解決しようとする課題】
【０００５】
上記特許文献１に開示される従来技術では、キャップに係合突部と係合凹部を任意の箇所に設ける旨の記載がある。具体的な実施形態の説明においては、円筒形状に形成されたキャップの端部付近に、係合突部と係合凹部が対向して設けられる。この場合、連結はキャップ（筆記具）が並列する方向でのみ連結することができ、数本が重なり合う（束状になる）形態では連結することが出来ない。よって、収納スペースが限られている場合の保管に不便であり、また、携帯時する際、カバン等に収納したときに不便である場合がある。
【０００６】
さらに、筆記具の連結が並列に限定されているため、筆記具の紛失防止の効果は発揮されても、連結する行為そのものを楽しむという点で物足りないものである。
【課題を解決するための手段】
【０００７】
本発明は、四角柱状に形成された軸筒と、四角柱状に形成され、該四角柱の外周４箇所の面は、前記軸筒との接続時に、前記軸筒の対応する外周面と連続平坦面となるよう形成されたキャップとを備え、前記キャップの外周面のうち、隣り合う２箇所の面にはそれぞれ第１係合部が設けられ、前記キャップの外周面の他方の隣り合う２箇所の面には、前記第１係合部と着脱自在に形成される第１被係合部がそれぞれ設けられることを特徴とするキャップ式筆記具、である。
【発明の効果】
【０００８】
本発明では、キャップ及び軸筒が四角柱状に形成されている。そして、キャップには、４つの外周面のうち、隣り合う２つの面に係合部が設けられ、他方の隣り合う２つの面には被係合部が設けられている。係合部と被係合部は着脱自在の関係にある。さらに、筆記具本体（例えばボールペンやシャープペンシル）の軸筒も四角柱状に形成されており、その外周面は、キャップが装着される際、キャップの外周面と連続した平坦面を形成するよう構成されている。
【０００９】
よって、本発明のキャップ式筆記具では、係合部と被係合部を係合することにより、２以上の筆記具を連結することができる。この場合、１つのキャップに係合部及び被係合部が２箇所ずつ設けられているので、並列平面的な連結だけでなく、上下左右にも連結することができる。さらに、当該キャップ式筆記具のキャップと軸筒の外周面のみならず、連結されたキャップ式筆記具の隣り合う面同士も連続的な平坦面を形成することができる。ゆえに、外観の美しいブロック状に形成することもできる。さらに、限られた保管スペースでも柔軟に収納し得るものとなる。そのうえさらに、携帯時にも便利なものとなる。また、使用者は、バリエーションの異なる連結形態を種々工夫して楽しむこともできる。
【図面の簡単な説明】
【００１０】
【図１】本発明に係るキャップ式筆記具の実施形態を示す図であり、（ａ）は正面図、（ｂ）は左側面図、（ｃ）は右側面図、（ｄ）は平面図、（ｅ）は底面図、（ｆ）は背面図、（ｇ）は内部機構の概略を示す（ｂ）のｇ−ｇ断面図、（ｈ）は内部機構の概略を示す（ａ）のｈ−ｈ断面図、である。
【図２】本発明に係るキャップ式筆記具の筆記具本体の一例であるペン先がアロータイプであるボールペンであり、（ａ）は正面図、（ｂ）は左側面図、（ｃ）は右側面図、（ｄ）は平面図、である。なお、背面図は正面図と対称に表れるので省略する。底面図は平面図と同一に表れるので省略する。
【図３】本発明に係るキャップ式筆記具の筆記具本体の一例であるマーキングペンであり、（ａ）は正面図、（ｂ）は左側面図、（ｃ）は右側面図、（ｄ）は平面図、（ｅ）は底面図である。なお、背面図は正面図と対称に表れるので省略する。
【図４】本発明に係るキャップ式筆記具の筆記具本体の一例であるペン先がニードルタイプであるボールペンであり、（ａ）は正面図、（ｂ）は左側面図、（ｃ）は右側面図、（ｄ）は平面図である。なお、背面図は正面図と対称に表れるので省略する。底面図は平面図と同一に表れるので省略する。
【図５】本発明に係るキャップ式筆記具の筆記具本体の一例であるシャープペンシルであり、（ａ）は正面図、（ｂ）は左側面図、（ｃ）は右側面図、（ｄ）は平面図である。なお、背面図は正面図と対称に表れるので省略する。底面図は平面図と同一に表れるので省略する。
【図６】本発明に係るキャップ式筆記具を並列的に連結した形態を表す図であり、（ａ）は正面図、（ｂ）は左側面図、（ｃ）は右側面図、（ｄ）は平面図、（ｅ）は底面図、（ｆ）は背面図である。
【図７】本発明に係るキャップ式筆記具を上下左右に連結した形態を表す図であり、（ａ）は正面図、（ｂ）は左側面図、（ｃ）は右側面図、（ｄ）は平面図、（ｅ）は底面図、（ｆ）は背面図である。
【図８】本発明に係るキャップ式筆記具２本を直列的に連結した正面図である。
【図９】本発明に係るキャップ式筆記具２本を接続部材を介して連結した正面図である。
【発明を実施するための形態】
【００１１】
以下、図面を参照しつつ本発明の実施例について説明する。なお、以下の説明において、前方向は、ペン先側の方向を指す。
【実施例１】
【００１２】
図１に本発明に係るキャップ式筆記具１を示す。２はキャップで、３は筆記具本体となる。本実施例は、筆記具本体３の先端部から突出するペン先がいわゆるアロータイプのボールペンについてのものである。
【００１３】
キャップ２は、全体を四角柱状に形成されている。キャップ２の外周は、４箇所の外周面２１，２２，２３，２４が形成されている。一方の隣り合う外周面２１，２２には、第１係合部として、凸状に凸状部２１ａ，２２ａが設けられている。他方の隣り合う外周面２３，２４には、第１被係合部として、前記凸状部と嵌合可能に形成された凹状部２３ａ，２４ａが設けられている。これらの第１係合部及び第１被係合部である凸状部２１ａ，２２ａと凹状部２３ａ，２４ａの嵌合は、圧入嵌合であり、手動により容易に着脱できる程度の嵌合力となるよう設定されている。なお、凸状部２１ａ，２２ａ及び凹状部２３ａ，２４ａは、平面視の形状を正方形状に形成されているが、本発明はこれに限定されるものではなく、円形状、楕円形状、その他の多角形状を適宜採用することができる。しかし、本発明では、キャップ２及び筆記具本体３の後述する軸筒４を四角柱状に形成しているので、本実施例で示すように、これに合わせて凸状部２１ａ，２２ａ及び凹状部２３ａ，２４ａを平面視正方形状に形成すると、デザイン上好ましい。
【００１４】
キャップ２には、その後端側に開口する開口部２５が設けられている。この開口部２５は、内周を円環状に形成されている（図示せず）。そして、開口部２５の内周は、軸筒４の前方に設けられる後述する環状部４５の外周と着脱自在に嵌合可能に設定される。例えば、開口部２５の内周面に円環状に設けられる凸状の乗越え嵌合部を設け、環状部４５には外周に軸心周りに放射状に複数の被乗越え嵌合部を設けることができる。これにより、キャップ２の軸筒４（環状部４５）に対する乗越え嵌合が実現される。
【００１５】
また、キャップ２の前端面２６には、第２被係合部となる凹状部２６ａが設けられている。この凹状部２６ａは、後述する尾栓５に設けられる第２係合部である凸状部５ａと手動により着脱自在な程度の嵌合力により圧入嵌合可能に設定されている。
【００１６】
一方、筆記具本体３は、軸筒４と、軸筒４の後端に結合される尾栓５及び中芯６により構成される。軸筒４は、外形を四角柱状に形成されている。軸筒４の各外周面４１，４２，４３，４４は、キャップ２の接続時において、キャップ２の外周面２１，２２，２３，２４とそれぞれ連続した平坦面が形成される。具体的には、例えば図１（ａ）において、キャップ２の上面に該当する外周面２１と、この外周面２１に対応する軸筒４の上面に該当する外周面４１とは、キャップ２と軸筒４の接続部分でＲ面取りされたための微小な凹部が存在するが、両者は連続した平坦面を形成しているといえる。すなわち、「連続した平坦面」とは、前記Ｒ面取りに起因する微小凹部程度の存在を許容する。同様に、各キャップ２の外周面２２，２３，２４においても、それぞれ対応する軸筒４の外周面４２，４３，４４が連続した平坦面を形成している。
なお、軸筒４の内部は断面円形（すなわち円柱形状）の空間が形成されている。
【００１７】
軸筒４の先端部には、円環状に突出して形成される環状部４５が形成されている。さらに、環状部４５の内側から先口部４６が略円錐状に前方に突出している。環状部４５と先口部４６間には、所定の間隔で隙間が形成される。この隙間により環状部４５に可撓性が付与される。よって、キャップ２の着脱時における前述の乗り越え嵌合部の乗り越え動作により、環状部４５が撓む。これにより、キャップ２の着脱がさらに容易になる。なお、この隙間は、円環状に形成される。さらに、先口部４６には、中芯６のペン先部である、いわゆるボールペンチップ６１が突出される孔部４６ａが形成される。
【００１８】
軸筒４の後端には、尾栓５が設けられている。尾栓５には、前方に嵌合部５１が突出している。嵌合部５１の外周は円形状に形成される。一方、軸筒４の後端開口部４７の内周は円筒状に形成される。そして、嵌合部５１と軸筒４の開口部４７は、所定の嵌合力にて圧入嵌合されている。
【００１９】
一方、嵌合部５１は、内方に向ってリブ５１ａが立設する。リブ５１ａは、嵌合部５１の軸心に対して放射状に複数設けられている。そして、この複数のリブ５１ａで軸心周りに形成される空間に中芯６の後端部が圧入されることにより、中芯６が狭持され支持されている。さらに、リブ５１ａには段部５１ｂが設けられ、中芯６の後方移動が規制されている。なお、複数のリブ５１ａ間には隙間が形成される。これにより、中芯６後端に供給する空気（インクの排出に伴う空気交換に要する空気）の流通が確保されている。
なお、ボールペンチップ６１の外周と孔部４６ａ間には微小な隙間が形成されており、軸筒４内部へ空気交換に要する空気の流入が確保されている。
【００２０】
嵌合部５１は、側面視正方形状のフランジ部５２と縮径して段部を形成しつつ連続して接続している。この段部により、尾栓５の前方への移動が規制されている。そして、フランジ部５２から後方に向って、フランジ部５２の四辺の長さよりも短い長さとした四角柱状の凸状部５ａが立設している。前述の通り、この凸状部５ａは、キャップ２の前端面２６に設けられた凹状部２６ａと手動により着脱自在に圧入嵌合されるよう設定されている。
なお、フランジ部５２の四辺は、軸筒４の横断面における四辺と同一長さとなり、両者は合同する。
【００２１】
なお、本実施例では、第２係合部及び第２被係合部である凸状部５ａ及び凹状部２６ａは、平面視略正方形状に形成されているが、これに限定されるものでなく、平面視円形状、楕円形状や他の多角形状であっても構わない。しかし、本発明では、キャップ２及び軸筒４を、各対応する外周面が連続した平坦面となる四角柱状に形成しているとともに、横断面外形を正方形状としているので、これに合わせて凸状部５ａ及び凹状部２６ａを平面視正方形状に形成すると、デザイン上好ましい。さらに、キャップ２に設けられた他の凸状部２１ａ，２２ａ及び凹状部２３ａ，２４ａと合わせて正方形状とすると、デザイン上さらに好ましい実施形態となる。
【００２２】
なお、図１で示すキャップ式筆記具１は、筆記具本体３のペン先がアロータイプのボールペンである。その筆記具本体３の各側面視を図２に図示する。また、筆記具本体３は、その内部構造を変更することにより、他種の筆記具に変更することができる。例えば、マーキングペンにした場合の筆記具本体３ａの各側面視を図３に示す。同様に、ペン先がニードルタイプであるボールペンとした場合の筆記具本体３ｂの各側面視を図４に、シャープペンシルとした場合の筆記具本体３ｃの各側面視を図５に示す。これらの他の筆記具本体３ａ，３ｂ，３ｃについても、キャップ２は共通のものとして適合することができる。
【００２３】
なお、他種の筆記具本体３ａ，３ｂ，３ｃに適合するキャップ２は、その筆記具本体の種類によって、内部構造（例えば開口部２５の内周の嵌合構造）を適宜変更することは可能である。例えば、マーキングペンの筆記具本体３ａにキャップ２を適合する場合、開口部２５の内周面及びこれと合わせて環状部４５外周面に、ペン先のインクの揮発を防止するため、閉塞部を適宜設けることができる。このような変更があった場合であっても、外観に現れる形状及び第１，２係合部、第１，２被係合部は、複数のキャップ式筆記具間で同一となるように形成する。
【００２４】
以上のように構成されるキャップ式筆記具においては、当該キャップ式筆記具が複数ある場合に、例えば一方のキャップ式筆記具に係る凸状部２１ａと、他方のキャップ式筆記具に係る凹状部２３ａを連結することができるとともに、さらに他のキャップ式筆記具の、例えば凸状部２２ａを他方のキャップ式筆記具の凹状部２４ａに連結することができる。さらに、キャップ式筆記具１を９０度回転して直角状に連結することも可能である。
【００２５】
このように、キャップ２を同様に形成し、筆記具本体（３，３ａ，３ｂ，３ｃ）をボールペン、マーキングペン、シャープペンシル等と適宜選択することができるので、これらをまとめて連結して保管し、又は携帯することができる。また、並列的な連結だけでなく、上下左右、さらには回転させて連結することができるので、限られた収納スペースであっても、当該スペースに合わせて保管等することができるとともに、種々の形態に組み合わせること自体を楽しむこともできる。
【００２６】
さらに、連結時においても、キャップ及び軸筒が他方のキャップ式筆記具（キャップ及び軸筒）と連続した平坦面を形成するので、外観上好ましいものとなる。
【００２７】
さらに、本実施形態のように、第１係合部及び第１被係合部を凸状部２１ａ，２２ａ及び凹状部２３ａ，２４ａとして形成し、第２係合部及び第２被係合部を凸状部５ａ及び凹状部２６ａとして形成しているので、互いの凹凸を嵌め合わせるだけで容易に着脱操作をすることができる。
【００２８】
本発明に係るキャップ式筆記具１を組み合わせた例を図６に示す。本図では、複数のキャップ式筆記具１を並列的に連結してある。なお、本組合わせの例では、筆記具本体をボールペン（３），マーキングペン（３ａ），ボールペン（３ｂ），シャープペンシル（３ｃ）とした。しかし、これに限定されるものではなく、これらの１種又は２種以上を適宜選択して組み合わせてもよい。さらに、本図では４本のキャップ式筆記具を組み合わせているが、２本以上であれば同様に組み合わせることができる。
【００２９】
また、図７では、本発明に係るキャップ式筆記具１を上下左右に組み合わせた例を示す。この場合も同様に同種又は他種の筆記具を適宜選択して組み合わせることができる。
【００３０】
また、図８は、尾栓５の凸状部５ａと、キャップ２の前端面２６に設けられた凹状部２６ａとを前後に組み合わせた形態を示す図である。これにより全長が長くなるので、本発明に係るキャップ式筆記具１を短く設定した場合においても筆記しやすいものとなる。なお、本図のように組み合わせて、さらにこれを並列的に（図６と同様に）連結したり、また上下左右に（図７と同様に）、連結したりすることも可能である。
【００３１】
図９は、接続部材７によりキャップ式筆記具１を連結した場合の図である。連結部材７は、全体が四角柱状に形成される。そして、尾栓５の第２係合部である凸状部５ａと係合する接続被係合部（凹状部７ａ）が、対向する２面にそれぞれ形成されている。その係合は、圧入嵌合で、着脱自在な程度の嵌合力に設定されている。この凹状部７ａに凸状部５ａを嵌め合わすことで、２本のキャップ式筆記具１は尾栓５同士が図９の如く連結され得る。例えば、一方のキャップ式筆記具１の筆記具本体をボールペンとし（筆記具本体３）、他方をマーキングペン（筆記具本体３ａ）とすることもできる。
【００３２】
このように、接続部材７でキャップ式筆記具１を連結することにより、同種又は他種の筆記具を、筆記部側を両端に設定することができるので、筆記中に両者を使い分ける場合等に便利である。さらに、キャップ式筆記具１を前後に接続する場合（図８参照）と接続部材７を用いる連結（図９参照）とを比べると、前者は尾栓５に連結されたキャップ式筆記具１の使用時に、単に筆記具本体３を分離して使用するか、長いまま使用する場合には前後を入れ替えて連結しなければならない手間があるのに対し、後者はそのような手間が必要ない。
【００３３】
なお、接続部材７の外周面は、フランジ部５２を介して、対応する軸筒４の外周面４１，４２，４３，４３、と連続した平坦面を形成する。よって、外観上もキャップ式筆記具１と連続的一体性を有し、美観を損ねることはない。
【００３４】
以上、本発明の実施例を詳細に説明したが、本発明はこれに限定されることなく、本発明の要旨を変更しない範囲で適宜変更することができる。
【００３５】
例えば、本実施例では軸筒４と尾栓５を別部品とし、尾栓５に第２係合部となる凸状部５ａを形成したが、軸筒４の後端に一体に第２係合部となる凸状部を設けても良い。また、第１係合部，第２被係合部及び第２係合部，第２被係合部について、本実施例では凹凸形状の嵌め合わせによる係合としたが、例えば磁石や螺子嵌合としてもよい。さらに、第１係合部と第２被係合部及び第２係合部と第１被係合部が係合するよう形成しても良い。さらに、本実施例における凹凸形状については、凹凸関係を逆にしてもよい。また、筆記具本体の実施例として、他に修正ペン、万年筆等種々の筆記用具を適用できる。
【符号の説明】
【００３６】
１    キャップ式筆記具
２    キャップ
３    筆記具本体
２１，２２，２３，２４    キャップの外周面
２１ａ，２２ａ    第１係合部である凸状部
２３ａ，２４ａ    第１被係合部である凹状部
２６ａ    第２被係合部である凹状部
４    軸筒
４１，４２，４３，４４    軸筒の外周面
５    尾栓
５ａ    第２係合部である凸状部
６    ボールペンの中芯
【図１】
2010247464.tif 000003
【図２】
2010247464.tif 000004
【図３】
2010247464.tif 000005
【図４】
2010247464.tif 000006
【図５】
2010247464.tif 000007
【図６】
2010247464.tif 000008
【図７】
2010247464.tif 000009
【図８】
2010247464.tif 000010
【図９】
2010247464.tif 000011